(57)【特許請求の範囲】
【請求項１】
原稿画像から得られる画像データを入力する画像入力手段と、
前記画像入力手段によって入力された前記画像データから前記原稿画像を直交する２方向に走査する事により得られる２つの走査データを抽出する走査データ抽出手段と、
前記走査データ抽出手段によって得られる前記２つの走査データの、前記走査方向に沿ったラインにおけるデータ度数を夫々抽出し、この抽出された前記データ度数が所定の上閾値以上である上ライン数及び前記データ度数が所定の下閾値以下である下ライン数を合計し、この合計された合計ライン数が大きいライン方向を平坦ライン方向であると判断する平坦ライン方向判別手段と、
前記平坦ライン方向と圧縮走査方向とが一致しない場合には、前記画像データを９０°回転処理して、前記平坦ライン方向と前記圧縮走査方向とを一致させる回転手段と、
前記平坦ライン方向と前記圧縮走査方向とが一致しない前記画像データは圧縮処理しないで、前記平坦ライン方向と前記圧縮走査方向とが一致する前記画像データを圧縮処理する圧縮手段と、
前記圧縮手段により形成される圧縮データを記憶するデータ記億手段と、
前記データ記憶手段に記憶される前記圧縮データを伸長処理すると共に前記圧縮データが前記回転手段により回転されている場合には、前記圧縮データを回転処理して前記画像データを復元する復元手段とを具備することを特徴とする画像処理装置。
【請求項２】
前記データ度数を、走査方向に沿った全ラインの中から所定間隔でサンプリングしてなるサンプリングラインについて抽出する事を特徴とする請求項１に記載の画像処理装置。
【請求項３】
前記画像入力手段によって入力された前記画像データを前記原稿画像の任意の領域毎に分割する画像分割手段を更に具備し、
前記走査データ抽出手段は、前記画像分割手段により分割される前記領域毎に分割走査データを抽出することを特徴とする請求項１又は請求項２記載の画像処理装置。
【請求項４】
原稿画像から得られる画像データを入力する画像入力手段と、
前記画像入力手段によって入力された前記画像データから前記原稿画像を直交する２方向に走査する事により得られる２つの走査データを抽出する走査データ抽出手段と、
前記走査データ抽出手段によって得られる前記２つの走査データの、前記走査方向に沿ったラインにおけるデータ度数を夫々抽出し、この抽出された前記データ度数が所定の上閾値以上である上ライン数及び前記データ度数が所定の下閾値以下である下ライン数を合計し、この合計された合計ライン数が大きいライン方向を平坦ライン方向であると判断する平坦ライン方向判別手段と、
前記平坦ライン方向と圧縮走査方向とが一致しない場合には、前記画像データを９０°回転処理して、前記平坦ライン方向と前記圧縮走査方向とを一致させる回転手段と、
前記平坦ライン方向と前記圧縮走査方向とが一致しない前記画像データは圧縮処理しないで、前記平坦ライン方向と前記圧縮走査方向とが一致する前記画像データを圧縮処理する圧縮手段と、
前記圧縮手段により形成される圧縮データを記憶するデータ記億手段と、
前記データ記憶手段に記憶される前記圧縮データを伸長処理すると共に前記圧縮データが前記回転手段により回転されている場合には、前記圧縮データを回転処理して前記画像データを復元する復元手段と、
前記復元手段により復元される前記画像データに基づき印刷画像を形成する画像出力手段とを具備することを特徴とする画像形成装置。
【請求項５】
前記データ度数を、走査方向に沿った全ラインの中から所定間隔でサンプリングしてなるサンプリングラインについて抽出する事を特徴とする請求項４に記載の画像形成装置。
【請求項６】
前記画像入力手段によって入力された前記画像データを前記原稿画像の任意の領域毎に分割する画像分割手段を更に具備し、
前記走査データ抽出手段は、前記画像分割手段により分割される前記領域毎に分割走査データを抽出することを特徴とする請求項４又は請求項５記載の画像形成装置。
【請求項７】
原稿画像から得られる画像データを入力する画像入力手段と、
前記画像入力手段によって入力された前記画像データから前記原稿画像を直交する２方向に走査する事により得られる２つの走査データを抽出する走査データ抽出手段と、
前記走査データ抽出手段によって得られる前記２つの走査データ毎に、前記走査方向に沿ったラインにおける差分が、所定の下閾値以下であるライン数の合計が大きい方向を平坦ライン方向であると判断する平坦ライン方向判別手段と、
前記平坦ライン方向と圧縮走査方向とが一致しない場合には、前記画像データを９０°回転処理して、前記平坦ライン方向と前記圧縮走査方向とを一致させる回転手段と、
前記平坦ライン方向と前記圧縮走査方向とが一致しない前記画像データは圧縮処理しないで、前記平坦ライン方向と前記圧縮走査方向とが一致する前記画像データを圧縮処理する圧縮手段と、
前記圧縮手段により形成される圧縮データを記憶するデータ記億手段と、
前記データ記憶手段に記憶される前記圧縮データを伸長処理すると共に前記圧縮データが前記回転手段により回転されている場合には、前記圧縮データを回転処理して前記画像データを復元する復元手段とを具備することを特徴とする画像処理装置。
【請求項８】
原稿画像から得られる画像データを入力する画像入力手段と、
前記画像入力手段によって入力された前記画像データから前記原稿画像を直交する２方向に走査する事により得られる２つの走査データを抽出する走査データ抽出手段と、
前記走査データ抽出手段によって得られる前記２つの走査データ毎に、前記走査方向に沿ったラインにおける差分が、所定の下閾値以下であるライン数の合計が大きい方向を平坦ライン方向であると判断する平坦ライン方向判別手段と、
前記平坦ライン方向と圧縮走査方向とが一致しない場合には、前記画像データを９０°回転処理して、前記平坦ライン方向と前記圧縮走査方向とを一致させる回転手段と、
前記平坦ライン方向と前記圧縮走査方向とが一致しない前記画像データは圧縮処理しないで、前記平坦ライン方向と前記圧縮走査方向とが一致する前記画像データを圧縮処理する圧縮手段と、
前記圧縮手段により形成される圧縮データを記憶するデータ記億手段と、
前記データ記憶手段に記憶される前記圧縮データを伸長処理すると共に前記圧縮データが前記回転手段により回転されている場合には、前記圧縮データを回転処理して前記画像データを復元する復元手段と、
前記復元手段により復元される前記画像データに基づき印刷画像を形成する画像出力手段とを具備することを特徴とする画像形成装置。
【発明の詳細な説明】
【０００１】
【発明の属する技術分野】
本発明は、ディジタル複写機やパーソナルコンピュータ等において入力画像データを圧縮処理する画像処理装置及び画像形成装置に関する。
【０００２】
【従来の技術】
ディジタル複写機等に用いられ、画像読み取り装置により読み取った入力画像データを圧縮処理しハードディスク等記憶媒体に記憶する画像処理装置にあっては、従来入力画像データの圧縮走査方向は画像読み取り装置による原稿走査方向に依存し、原稿走査方向と同一に固定されていた。
【０００３】
【発明が解決しようとする課題】
従来は、画像データの内容にかかわらず画像処理装置内での入力画像データの圧縮方向が固定されていた。このため、入力画像データによっては圧縮効率が悪く圧縮データのサイズが大きくなり、圧縮データの記憶媒体への入出力性能が低下し処理時間を要すると共に、記憶媒体の必要容量が大きくなるという問題を有していた。
【０００４】
そこで本発明は上記課題を除去するもので、入力される画像データの特性にかかわらず圧縮効率をより高めて圧縮データを小さくすることにより、データ処理時間の短縮を図り、又記憶媒体の使用容量の低減を図る事を目的とする。
【０００５】
【課題を解決するための手段】
本発明は上記課題を解決するための手段として、原稿画像から得られる画像データを入力する画像入力手段と、前記画像入力手段によって入力された前記画像データから前記原稿画像を直交する２方向に走査する事により得られる２つの走査データを抽出する走査データ抽出手段と、前記走査データ抽出手段によって得られる前記２つの走査データの、前記走査方向に沿ったラインにおけるデータ度数を夫々抽出し、この抽出された前記データ度数が所定の上閾値以上である上ライン数及び前記データ度数が所定の下閾値以下である下ライン数を合計し、この合計された合計ライン数が大きいライン方向を平坦ライン方向であると判断する平坦ライン方向判別手段と、前記平坦ライン方向と圧縮走査方向とが一致しない場合には、前記画像データを９０°回転処理して、前記平坦ライン方向と前記圧縮走査方向とを一致させる回転手段と、前記平坦ライン方向と前記圧縮走査方向とが一致しない前記画像データは圧縮処理しないで、前記平坦ライン方向と前記圧縮走査方向とが一致する前記画像データを圧縮処理する圧縮手段と、
圧縮手段と、前記圧縮手段により形成される圧縮データを記憶するデータ記億手段と、前記データ記憶手段に記憶される前記圧縮データを伸長処理すると共に前記圧縮データが前記回転手段により回転されている場合には、前記圧縮データを回転処理して前記画像データを復元する復元手段とを具備するものである。
【０００６】
また本発明は上記課題を解決するための手段として、原稿画像から得られる画像データを入力する画像入力手段と、前記画像入力手段によって入力された前記画像データから前記原稿画像を直交する２方向に走査する事により得られる２つの走査データを抽出する走査データ抽出手段と、前記走査データ抽出手段によって得られる前記２つの走査データの、前記走査方向に沿ったラインにおけるデータ度数を夫々抽出し、この抽出された前記データ度数が所定の上閾値以上である上ライン数及び前記データ度数が所定の下閾値以下である下ライン数を合計し、この合計された合計ライン数が大きいライン方向を平坦ライン方向であると判断する平坦ライン方向判別手段と、前記平坦ライン方向と圧縮走査方向とが一致しない場合には、前記画像データを９０°回転処理して、前記平坦ライン方向と前記圧縮走査方向とを一致させる回転手段と、前記平坦ライン方向と前記圧縮走査方向とが一致しない前記画像データは圧縮処理しないで、前記平坦ライン方向と前記圧縮走査方向とが一致する前記画像データを圧縮処理する圧縮手段と、前記圧縮手段により形成される圧縮データを記憶するデータ記億手段と、前記データ記憶手段に記憶される前記圧縮データを伸長処理すると共に前記圧縮データが前記回転手段により回転されている場合には、前記圧縮データを回転処理して前記画像データを復元する復元手段と、前記復元手段により復元される前記画像データに基づき印刷画像を形成する画像出力手段とを設けるものである。
【０００７】
上記構成により本発明は、 入力される画像データの内容に応じて、画像データを効率的な圧縮を得られる方向に回転した後圧縮する事により、圧縮データのサイズを低減して、データ処理時間を短縮し、又記憶媒体の使用容量を低減し、機能向上を図るものである。
【０００８】
又本発明は上記課題を解決するための手段として、原稿画像から得られる画像データを入力する画像入力手段と、前記画像入力手段によって入力された前記画像データから前記原稿画像を直交する２方向に走査する事により得られる２つの走査データを抽出する走査データ抽出手段と、前記走査データ抽出手段によって得られる前記２つの走査データ毎に、前記走査方向に沿ったラインにおける差分が、所定の下閾値以下であるライン数の合計が大きい方向を平坦ライン方向であると判断する平坦ライン方向判別手段と、前記平坦ライン方向と圧縮走査方向とが一致しない場合には、前記画像データを９０°回転処理して、前記平坦ライン方向と前記圧縮走査方向とを一致させる回転手段と、前記平坦ライン方向と前記圧縮走査方向とが一致しない前記画像データは圧縮処理しないで、前記平坦ライン方向と前記圧縮走査方向とが一致する前記画像データを圧縮処理する圧縮手段と、前記圧縮手段により形成される圧縮データを記憶するデータ記億手段と、前記データ記憶手段に記憶される前記圧縮データを伸長処理すると共に前記圧縮データが前記回転手段により回転されている場合には、前記圧縮データを回転処理して前記画像データを復元する復元手段とを設けるものである。
【０００９】
又本発明は上記課題を解決するための手段として、原稿画像から得られる画像データを入力する画像入力手段と、前記画像入力手段によって入力された前記画像データから前記原稿画像を直交する２方向に走査する事により得られる２つの走査データを抽出する走査データ抽出手段と、前記走査データ抽出手段によって得られる前記２つの走査データ毎に、前記走査方向に沿ったラインにおける差分が、所定の下閾値以下であるライン数の合計が大きい方向を平坦ライン方向であると判断する平坦ライン方向判別手段と、前記平坦ライン方向と圧縮走査方向とが一致しない場合には、前記画像データを９０°回転処理して、前記平坦ライン方向と前記圧縮走査方向とを一致させる回転手段と、前記平坦ライン方向と前記圧縮走査方向とが一致しない前記画像データは圧縮処理しないで、前記平坦ライン方向と前記圧縮走査方向とが一致する前記画像データを圧縮処理する圧縮手段と、前記圧縮手段により形成される圧縮データを記憶するデータ記億手段と、前記データ記憶手段に記憶される前記圧縮データを伸長処理すると共に前記圧縮データが前記回転手段により回転されている場合には、前記圧縮データを回転処理して前記画像データを復元する復元手段と、前記復元手段により復元される前記画像データに基づき印刷画像を形成する画像出力手段とを設けるものである。
【００１０】
上記構成により本発明は、入力される画像データの内容に応じて、画像データを効率的な圧縮を得られる方向に回転した後圧縮する事により、画像データのサイズを低減して、データ処理時間を短縮し、記憶媒体の使用容量を低減し、機能向上を図るものである。
【００１１】
【発明の実施の形態】
先ず本発明の原理を図１を参照して説明する。図１はディジタル複写機１のシステム構成を示し、共通バス２により、ＣＰＵ３には、スキャナ４、プリンタ６、画像処理装置７が接続されている。画像処理装置７は、画像メモリ８、圧縮伸長処理部１０、ハードディスク１１から成っている。またＣＰＵ３にはメモリ１２が接続されている。
【００１２】
このようなディジタル複写機１にあっては、画像形成時、原稿に対応しその都度一部ずつ通常の複写を行う場合には、スキャナ４により読み取った画像データをそのままプリンタ６に転送して複写画像を得る一方、複数枚の原稿による複数部の複写画像を形成する場合は、スキャナ４により読み取った画像データを、一旦画像処理装置７に記憶した後、この画像処理装置７から順次画像データをプリンタ６に転送し複数部の複写画像を得ている。
【００１３】
そして一般に画像処理装置７内での画像データの記憶操作は、「スキャナ４からの画像データを画像メモリ８に一時的に記憶し、次いで圧縮伸長処理部１０で圧縮処理し、圧縮された圧縮データをハードディスク１１に転送記憶する。」という工程を全ての原稿に対して順次行うことにより実施する。この後プリンタ１４により複写画像を印刷形成する際には、圧縮データを記憶する操作と全く逆の工程である、「ハードディスク１１に記憶された圧縮データを圧縮伸長処理部１０で伸長処理して画像データを復元し、この復元された画像データを画像メモリ８に一時的に記憶し、更に画像メモリ８からプリンタ８に転送する。」という工程を順次行うこととなる。更にこの印刷形成工程を繰り返して必要部数の複写画像を得ている。
【００１４】
ここで、画像形成装置１の高速化を図るよう、単位時間あたりの処理画像枚数を多くするためには、画像処理装置７内での画像データのハードディスク１１への記憶操作時間及びその読み出し操作時間を短縮するために、圧縮伸長処理部１０にて画像データのサイズを極力小さく圧縮する必要がある。また、ハードディスク１１の限られた記憶容量を節約するためにも画像1枚あたりの圧縮データを極力小さくする必要がある。
【００１５】
一方画像データは、隣接する画素情報がバラバラである場合に比し、同じ要素の画素情報が連続しているデータの方が圧縮効率が高く、例えば、画像データが文字データである場合には、文章方向と垂直方向に圧縮する場合に比し、文章方向に沿って画像圧縮を行うほうが、高いデータ圧縮率を得られる。
【００１６】
そこで本発明では、上記原理に基づき、画像データを、同じ要素の画素情報が連続している圧縮効率の高い方向で圧縮走査して、圧縮データサイズを小さくするものである。
【００１７】
以下本発明を図２乃至図５に示す第１の実施の形態を参照して説明する。図２は画像形成装置であるディジタル複写機２０のシステム構成を示し、共通バス２１により、ディジタル複写機２０全体を制御するＣＰＵ２２には、原稿（図示せず）を読み取る画像入力手段であるスキャナ２３、画像データを印刷出力する画像出力手段であるプリンタ２４、スキャナ２３より入力された画像データを画像処理しプリンタ２４に転送する画像処理装置２５が接続されている。画像処理装置２５は、スキャナ２３より入力された画像データを一時的に記憶する画像メモリ２６、画像データを回転処理する回転処理部２７、画像データを圧縮処理または圧縮された画像データを伸長処理する圧縮伸長処理部２８、圧縮伸長処理部２８により圧縮された圧縮データを記憶するハードディスク３０、画像データが文字画像かそれ以外の写真、イラスト等の画像かを判別する文字画像判断部３１、文字データの文章方向を判断する文章方向判断部３２から成っている。またＣＰＵ２２には、スキャナ２３、プリンタ２４及び画像処理装置２５等の制御プログラムを記憶するＲＯＭ及びスキャナ２３等からのデータや画像処理条件等を記憶するＲＡＭからなるメモリ３３が接続されている。
【００１８】
次に作用について述べる。先ず原稿に対応しその都度一部ずつ通常の複写を行う場合は、先ずスキャナ２３により原稿画像を読み取り、読み取った画像データを共通バス２１を経由してそのままプリンタ２４に転送し複写画像を形成する。
【００１９】
一方複数枚の原稿を複数部複写するソート機能を用いる複写操作の場合は、複数枚の原稿の画像データを画像処理装置２５内に一旦記憶して、この記憶したデータをプリンタ２４に転送して複写画像を形成する。即ち、スキャナ２３により原稿画像を読み取った後、この原稿画像の画像データを画像処理装置２５内の画像メモリ２６に一時的に記憶する。この後画像データを圧縮伸長処理部２８で圧縮処理し、圧縮された圧縮データをハードディスク３０に記憶する。そしてプリンタ２４により複写画像を印刷形成する際にはハードディスク３０に記憶した圧縮データを圧縮伸長処理部２８で伸長処理して画像データを復元し、この復元した画像データを画像メモリ２６に一時的に記憶し、更にプリンタ２４に転送し複写画像を形成する。更にこのプリンタ２４による印刷形成工程を繰り返し、必要部数を得る。
【００２０】
次に画像処理装置２５内での画像データの圧縮処理を、図３に示すフローチャートを用いて詳述する。スキャナ２３より入力される画像データを画像メモリ２６に一時的に記憶したら、ステップ１００で、文字画像判断部３１により画像データが文字画像なのかそれ以外の写真、イラスト等の画像なのかを判別する。文字画像でない場合は、ステップ１０３に進み圧縮伸長処理部２８により画像データをそのまま圧縮処理する。
【００２１】
画像データが文字画像である場合は、ステップ１０１に進み、文章方向判断部３２により、画像データの配列が、文章方向と一致しているか、文章方向と垂直方向であるかを判別する。画像データの配列が文章方向と一致している場合は、ステップ１０３に進み圧縮伸長処理部２８により画像データをそのまま圧縮処理する。画像データが文章方向と垂直方向である場合は、ステップ１０２に進み回転処理部２７で、画像データを９０°回転処理した後ステップ１０３に進み、圧縮伸長処理部２８により回転した画像データを圧縮処理する。
【００２２】
即ち、図４（ａ）に示すように、原稿３６上の文章方向がスキャナ２３による矢印ｓ方向の読み取り走査方向と平行であり、画像データが文章方向に配列されている場合は、データの圧縮効率が高いことからそのまま圧縮処理する一方、図４（ｂ）に示すように、原稿３６上の文章方向が、スキャナ２３による矢印ｓ方向の読み取り走査方向と垂直になり、画像データの配列が文章方向に対し垂直になる場合は、画像データを９０°回転して文章方向をスキャナ２３による矢印ｓ方向の読み取り走査方向と一致させて、データの圧縮効率を高めてから圧縮処理する。尚図５に示すようにすべての原稿について、圧縮処理時に画像データを回転したか否かの回転情報を、メモリ３３の管理テーブル３３ａに記憶する。
【００２３】
このようにステップ１０３で画像データを圧縮処理し、圧縮データをハードディスク３０に記憶する。次いで複写画像印刷のため、ハードディスク３０に記憶された圧縮データを圧縮伸長処理部２８で伸長処理し、この後、メモリ３３に記憶される図５に示す管理テーブルの回転情報に基づき、圧縮処理前に回転した画像データは、回転処理部２７で圧縮処理時と逆方向に９０°戻して、画像データを復元後、画像メモリ２６に記憶し、プリンタ２４に転送して複写画像を形成する。
【００２４】
この様に構成すれば、スキャナ２３から入力される画像データが文字データである場合には、文字データの文章方向と圧縮走査方向とを一致させて圧縮効率を高めるよう画像データを回転した後に圧縮するので、圧縮データサイズをより小さくする事が出来、画像データの処理時間の短縮及びハードディスク３０内の使用容量の低減を図れ、画像処理装置及び画像形成装置の性能を向上出来る。
【００２５】
次に本発明を図６乃至図９に示す第２の実施の形態を参照して説明する。本実施の形態は入力画像を複数の領域に分割し分割した画像領域毎に文字データをその文章方向と圧縮走査方向が一致するよう回転した後画像圧縮するものであり、他は第１の実施の形態と同様であることから同一部分については同一符号を付しその説明を省略する。図６に示すディジタル複写機３５の画像処理装置３６は、画像メモリ２６、回転処理部２７、圧縮伸長処理部２８、ハードディスク３０、文字画像判断部３１、文章方向判断部３２と、文字画像判断部３１及び文章方向判断部３２により、文字領域とそれ以外の領域を認識し、あるいは文章方向毎に領域を認識し、画像を夫々の領域に分割処理しまたは分割した領域を再構成処理する画像分割再構成処理部３７から成っている。
【００２６】
次に具体例を参照して、画像処理装置３６内での画像データの圧縮処理について述べる。
（具体例１）
具体例１は図７に示すように、第１の文字データ３８ａ、写真データ３８ｂ、第２の文字データ３８ｃからなる画像データ３８が表示される原稿４０を、ソート機能を用いて複写操作する際に、原稿４０の画像領域を定型分割するものである。画像処理装置３６の画像分割再構成処理部３７によりＬ−Ｌ´線より上の第１の文字データ３８ａ、写真データ３８ｂからなる分割領域４０ａと、 Ｌ−Ｌ´線より下の第２の文字データ３８ｃからなる分割領域４０ｂの上下１／２の定型領域に分割する。そして文章方向判断部３２で、上の分割領域４０ａの第１の文字データ３８ａの文章方向が矢印ｔ方向の圧縮走査方向に対して垂直方向である一方、下の分割領域４０ｂの第２の文字データ３８ｃの文章方向が矢印ｔ方向の圧縮走査方向と一致していることを判断する。
【００２７】
従って、下の分割領域４０ｂの分割画像データは圧縮伸長処理部２８によりそのまま圧縮処理する一方、上の分割領域４０ａの分割画像データは圧縮効率を向上するために回転処理部２７で９０°回転処理した後圧縮伸長処理部２８により圧縮処理して形成された分割領域毎に夫々形成された分割圧縮データをハードディスク３０に記憶する。尚メモリ３３の管理テーブルには、原稿４０について上分割領域４０ａ及び下分割領域４０ｂの夫々についての回転情報を記憶する。
【００２８】
次いで複写画像印刷のため、ハードディスク３０に記憶された分割圧縮データを夫々圧縮伸長処理部２８で伸長処理し、この後メモリ３３に記憶される管理テーブルの回転情報に基づき、圧縮処理前に回転した上の分割領域４０ａの分割画像データを９０°戻し更に画像分割再構成処理部３７にて上下分割領域４０ａ、４０ｂを再構成して画像データを復元し、画像メモリ２６に記憶し、プリンタ２４に転送して複写画像を形成する。
【００２９】
これにより、上の分割領域４０ａの分割画像データの第１の文字データ３８ａの文章方向が圧縮走査方向と一致され、分割画像データの圧縮効率が向上される事から、分割圧縮データサイズをより小さく出来、ひいては原稿４０の画像データ３８全体の圧縮データサイズをより小さく出来る。
【００３０】
（具体例２）
具体例２は図８に示すように、第３の文字データ４２ａ、第１のイラストデータ４２ｂ、第２のイラストデータ４２ｃ、第４の文字データ４２ｄからなる画像データ４２が表示される原稿４３を、ソート機能を用いて複写操作する際に、原稿の画像領域を画像データ４２の内容に応じて任意に分割するものである。画像処理装置３６の文字画像判断部３１により原稿４３の画像が、Ａ点を起点とするＡ分割領域４３ａ に第３の文字データ４２ａ を有し、Ｂ点を起点とするＢ分割領域４３ｂ に第１のイラストデータ４２ｂ を有し、Ｃ点を起点とするＣ分割領域４３ｃに第２のイラストデータ４２ｃを有し、 Ｄ点を起点とするＤ分割領域４３ｄに第４の文字データ４２ｄ を有することを判断し、画像分割再構成処理部３７により夫々 Ａ点、Ｂ点、Ｃ点、Ｄ点を起点とする分割領域４３ａ〜４３ｄに分割する。
【００３１】
又文章方向判断部３２で、Ａ分割領域４３ａの第３の文字データ４２ａの文章方向が矢印ｕ方向の圧縮走査方向に対して垂直方向である一方、 Ｄ分割領域４３ｄの第４の文字データ４２ｄの文章方向が矢印ｕ方向の圧縮走査方向と一致していることを判断する。
【００３２】
従って、 Ｂ、Ｃ、Ｄ分割領域４３ｂ〜４３ｄの分割画像データは圧縮伸長処理部２８によりそのまま圧縮処理する一方、 Ａ分割領域４３ａの第３の文字データ４２ａは圧縮効率を向上するために回転処理部２７で９０°回転処理した後圧縮伸長処理部２８により圧縮処理して、各分割領域４３ａ〜４３ｄ毎に夫々形成された分割圧縮データをハードディスク３０に記憶する。
【００３３】
尚メモリ３３の管理テーブルには、図９に示すように各分割領域４３ａ〜４３ｄのＡ点〜Ｄ点の各起点の位置情報及び各分割領域４３ａ〜４３ｄの幅及び高さを記憶し、又圧縮処理前に各分割領域４３ａ〜４３ｄの回転情報を記憶する。
【００３４】
次いで複写画像印刷のため、ハードディスク３０に記憶された分割圧縮データを夫々圧縮伸長処理部２８で伸長処理し、この後メモリ３３に記憶される管理テーブルの回転情報に基づき、圧縮処理前に回転した領域の分割画像データを９０°戻し更に画像分割再構成処理部３７にて管理テーブルの位置情報、サイズ情報に基づき各分割領域４３ａ〜４３ｄを再構成して画像データを復元し、画像メモリ２６に記憶し、プリンタ２４に転送して複写画像を形成する。
【００３５】
これにより、原稿４３の画像領域を画像データの内容に応じてＡ分割領域４３ａ〜Ｄ分割領域４３ｄの領域に分割し、Ａ分割領域４３ａの分割データを回転して第３の文字データ４２ａの文章方向を圧縮走査方向と一致する事により、Ａ分割領域４３ａにおける分割画像データの圧縮効率を向上出来、Ａ分割領域４３ａの第３の文字データ４２ａの圧縮データサイズをより小さく出来、ひいては原稿４３の画像データ４２全体の圧縮データサイズをより小さく出来る。
【００３６】
本実施の形態によれば、原稿を複数領域に分割し、文字データの文章方向を圧縮走査方向と一致させるために画像データの回転を必要とする領域にあっては、分割画像データを回転した後圧縮処理することにより、原稿の画像内容に対応して、各領域毎に圧縮効率の向上を図れ、圧縮データサイズをより効果的に小さく出来、ひいては画像データの処理時間の短縮及びハードディスク３０内の使用容量の低減を効率的に得られ、画像処理装置及び画像形成装置の性能をより向上出来る。
【００３７】
次に本発明を図１０乃至図１４に示す第３の実施の形態を参照して説明する。本実施の形態は、複数の走査方向での画像データのライン毎の画素の分布状況を比較して、圧縮効率の高いライン方向を検出し、このライン方向を画像データの圧縮走査方向に一致するよう、画像データを回転した後画像圧縮するものであり、他は第１の実施の形態と同様であることから同一部分については同一符号を付しその説明を省略する。図１０に示すディジタル複写機４５の画像処理装置４６は、画像メモリ２６、回転処理部２７、圧縮伸長処理部２８、ハードディスク３０、度数カウンタ４７及び平坦方向判断部４８から成っている。度数カウンタ４７は、入力された画像データのライン毎に画素数の合計（度数）を求める手段であり、平坦方向判断部４８は、度数カウンタ４７で求められた各ラインの度数を所定の上閾値及び所定の下閾値と比較し、上閾値を上回ったライン数と、下閾値を下回ったライン数の合計を求め、更に合計値の最も大きい平坦方向を選択する手段である。
【００３８】
次に具体例を参照して、画像処理装置３６内での画像データの圧縮処理について述べる。
（具体例３）
図１１に示すように、画素部５０ａ及び非画素部５０ｂが配列される画像データを有する原稿５０を、ソート機能を用いて複写操作する場合、先ず図１２（ａ）に示すように画像処理装置４６の度数カウンタ４７にて、圧縮走査方向に沿った矢印ｖ方向における画像データの各ライン毎の画素部５０ａの合計である度数を求め、次いで平坦方向判断部４８で、度数が、上閾値（３）以上のライン数及び下閾値（１）以下のライン数の合計１を求める。他方、図１２（ｂ）に示すように画像処理装置４６の度数カウンタ４７にて、圧縮走査方向と垂直の矢印ｗ方向における画像データの各ライン毎の画素部５０ａの合計である度数を求め、次いで平坦方向判断部４８で、度数が、上閾値（３）以上のライン数及び下閾値（１）以下のライン数の合計４を求め、矢印ｖ方向のライン数１と矢印ｗ方向のライン数４とを比較して、矢印ｗ方向が大きいことから、矢印ｗ方向が平坦方向であり、圧縮効率が高いライン方向であると判断する。
【００３９】
従って画像データの圧縮効率を向上するために画像データを９０°回転して、平坦ライン方向を、圧縮走査方向と一致させて、データの圧縮効率を高めてから圧縮伸長処理部２８により圧縮処理し、圧縮データをハードディスク３０に記憶する。尚メモリ３３の管理テーブルに各原稿毎の回転情報を記憶する。
【００４０】
次いで複写画像印刷のため、ハードディスク３０に記憶された圧縮データを圧縮伸長処理部２８で伸長処理し、この後メモリ３３に記憶される管理テーブルの回転情報に基づき、圧縮処理前に回転した画像データは、回転処理部２７で圧縮処理時と逆方向に９０°戻して、画像データを復元後、画像メモリ２６に記憶し、プリンタ２４に転送して複写画像を形成する。
【００４１】
これにより、文字データに限らず、画像データの圧縮効率の高い平坦ライン方向を検出後、平坦ライン方向と圧縮走査方向とを一致させて圧縮効率を高めるよう画像データを回転した後に圧縮するので、圧縮データサイズをより小さくする事が出来、画像データの処理時間の短縮及びハードディスク３０内の使用容量の低減を図れ、画像処理装置及び画像形成装置の性能を向上出来る。
（具体例４）
図１３に示すように、画素部５１ａ及び非画素部５１ｂが配列される画像データを有する原稿５１を、ソート機能を用いて複写操作する場合、先ず図１４（ａ）に示すように画像処理装置４６の度数カウンタ４７にて、圧縮走査方向に沿った矢印ｖ方向における画像データの１ラインおきの画素部５１ａの合計である度数を求め、次いで平坦方向判断部４８で、度数が、上閾値（５）以上のライン数及び下閾値（１）以下のライン数の合計０を求める。他方、図１４（ｂ）に示すように画像処理装置４６の度数カウンタ４７にて、圧縮走査方向と垂直の矢印ｗ方向における画像データの１ラインおきのの画素部５１ａの合計である度数を求め、次いで平坦方向判断部４８で、度数が、上閾値（５）以上のライン数及び下閾値（１）以下のライン数の合計２を求め、矢印ｖ方向のライン数０と矢印ｗ方向のライン数２とを比較して、矢印ｗ方向が大きいことから、矢印ｗ方向が平坦方向であり、圧縮効率が高いライン方向であると判断する。
【００４２】
従って画像データの圧縮効率を向上するために画像データを９０°回転して、平坦ライン方向を、圧縮走査方向と一致させて、データの圧縮効率を高めてから圧縮伸長処理部２８により圧縮処理し、圧縮データをハードディスク３０に記憶する。尚メモリ３３の管理テーブルに各原稿毎の回転情報を記憶する。
【００４３】
次いで複写画像印刷のため、ハードディスク３０に記憶された圧縮データを圧縮伸長処理部２８で伸長処理し、この後メモリ３３に記憶される管理テーブルの回転情報に基づき、圧縮処理前に回転した画像データは、回転処理部２７で圧縮処理時と逆方向に９０°戻して、画像データを復元後、画像メモリ２６に記憶し、プリンタ２４に転送して複写画像を形成する。
【００４４】
これにより、文字データに限らず、画像データの圧縮効率の高い平坦ライン方向を検出後、平坦ライン方向と圧縮走査方向とを一致させて圧縮効率を高めるよう画像データを回転した後に圧縮するので、圧縮データサイズをより小さくする事が出来、画像データの処理時間の短縮及びハードディスク３０内の使用容量の低減を図れ、画像処理装置及び画像形成装置の性能を向上出来る。しかも、平坦ライン方向を検出する際１ラインおきに度数を求めているので、全ラインについて求める場合に比しその処理時間を１／２に短縮可能となる。
【００４５】
尚具体例３及び具体例４のいずれの場合も、平坦ラインを検知した結果、矢印ｖ方向、矢印ｗ方向のいずれも同じライン数であ理、いずれの方向でも圧縮効率が同じ場合は、そのまま画像圧縮する。
【００４６】
次に本発明を図１５乃至図１６に示す第４の実施の形態を参照して説明する。本実施の形態は入力画像を複数の領域に分割し分割した画像領域毎に平坦ライン方向と圧縮走査方向が一致するよう回転した後画像圧縮するものであり、他は第３の実施の形態と同様であることから同一部分については同一符号を付しその説明を省略する。図１５に示すディジタル複写機５２の画像処理装置５３は、画像メモリ２６、回転処理部２７、圧縮伸長処理部２８、ハードディスク３０、度数カウンタ４７、平坦方向判断部４８及び、画像を規定領域に分割処理しまたは分割した領域を再構成処理する画像分割再構成処理部５４から成っている。
【００４７】
そして例えば図１６に示すように、画素部５７ａ及び非画素部５７ｂが配列される画像データを有する原稿５８を、ソート機能を用いて複写操作する際に、原稿５８の画像領域を定型分割するものである。即ち画像処理装置５３の画像分割再構成処理部５４によりＭ−Ｍ´線より上の分割領域５８ａと、 Ｍ−Ｍ´線より下の分割領域５８ｂの上下１／２の定型領域に分割する。
【００４８】
そして各分割領域５８ａ、５８ｂ毎に、第３の実施の形態と同様にして平坦ライン方向を選択する。即ち、上の分割領域５８ａにあっては、矢印ｖ方向のライン数１と矢印ｗ方向のライン数４とを比較して、矢印ｗ方向が大きいことから、矢印ｗ方向が平坦方向であり、圧縮効率が高いライン方向であると判断する。一方下の分割領域５８ｂにあっては、矢印ｖ方向のライン数４と矢印ｗ方向のライン数０とを比較して、矢印ｖ方向が大きいことから、矢印ｖ方向が平坦方向であり、圧縮効率が高いライン方向であると判断する。
【００４９】
従って画像データの圧縮効率を向上するために上の分割領域５８ａの画像データを９０°回転して、平坦ライン方向を、圧縮走査方向と一致させて、データの圧縮効率を高めてから圧縮伸長処理部２８により圧縮処理する一方、下の分割領域５８ｂの画像データは、そのままで平坦ライン方向が圧縮走査方向と一致する事から、回転することなく圧縮伸長処理部２８により圧縮処理し、両分割領域５８ａ、５８ｂの圧縮データをハードディスク３０に記憶する。尚メモリ３３の管理テーブルに各分割領域毎の回転情報を記憶する。
【００５０】
次いで複写画像印刷のため、ハードディスク３０に記憶された圧縮データを圧縮伸長処理部２８で伸長処理し、この後メモリ３３に記憶される管理テーブルの回転情報に基づき、圧縮処理前に回転した上分割領域５８ａの画像データを９０°戻し、更に画像分割再構成処理部３７にて上下分割領域５８ａ、５８ｂを再構成して画像データを復元し、画像メモリ２６に記憶し、プリンタ２４に転送して複写画像を形成する。
【００５１】
この様に構成すれば、文字データに限らず、画像データの圧縮効率の高い平坦ライン方向を検出後、平坦ライン方向と圧縮走査方向とを一致させて圧縮効率を高めるよう画像データを回転した後に圧縮するので、圧縮データサイズをより小さくする事が出来、画像データの処理時間の短縮及びハードディスク３０内の使用容量の低減を図れ、画像処理装置及び画像形成装置の性能を向上出来る。しかも画像領域を分割して、分割領域毎に平坦ライン方向の検出及び画像データの回転を行えることから、より画像内容に沿った平坦ライン方向を検出出来、画像データの圧縮効率の一層の向上を得られる。
【００５２】
次に本発明を図１７乃至図１９に示す第５の実施の形態を参照して説明する。本実施の形態は、複数の走査方向での画像データのライン毎に隣接画素が異なる割合（画素のバラツキ）を比較して、圧縮効率の高いライン方向を検出し、このライン方向を画像データの圧縮走査方向に一致するよう、画像データを回転した後画像圧縮するものであり、他は第１の実施の形態と同様であることから同一部分については同一符号を付しその説明を省略する。図１７に示すディジタル複写機６０の画像処理装置６１は、画像メモリ２６、回転処理部２７、圧縮伸長処理部２８、ハードディスク３０、差分カウンタ６２及び平坦方向判断部６３から成っている。差分カウンタ６２は、入力された画像データのライン毎に隣接画素が異なる数の合計（差分）を求める手段であり、平坦方向判断部６３は、差分カウンタ６２で求められた各ラインの差分を所定の下閾値と比較し、下閾値を下回ったライン数の合計を求め、更に合計値の最も大きい平坦ライン方向を選択する手段である。
【００５３】
そして例えば図１８に示すように、黒画素部６４、グレー画素部６６、非画素部６７が配列される画像データを有する原稿６８を、ソート機能を用いて複写操作する場合、先ず図１９（ａ）に示すように画像処理装置６１の差分カウンタ６２にて、圧縮走査方向に沿った矢印ｘ方向における画像データの各ライン毎に隣接画素が異なる数の合計である差分を求め（例えば隣接画素が黒とグレーあるいは黒と白のように画素が異なる場合を１とし、白と白あるいは黒と黒のように同じ画素が連続する場合は０として、各ライン毎にその数値の合計を求める。）、次いで平坦方向判断部６３で、差分が、下閾値（１）以下のライン数の合計１を求める。他方、図１９（ｂ）に示すように画像処理装置６１の差分カウンタ６２にて、圧縮走査方向と垂直の矢印ｙ方向における画像データの各ライン毎に隣接画素が異なる数の合計である差分を求め、次いで平坦方向判断部６３で、差分が、下閾値（１）以下のライン数の合計２を求め、矢印ｘ方向のライン数１と矢印ｙ方向のライン数２とを比較して、矢印ｙ方向が大きいことから、矢印ｙ方向が平坦方向であり、圧縮効率が高いライン方向であると判断する。
【００５４】
従って画像データの圧縮効率を向上するために画像データを９０°回転して、平坦ライン方向を、圧縮走査方向と一致させて、データの圧縮効率を高めてから圧縮伸長処理部２８により圧縮処理し、圧縮データをハードディスク３０に記憶する。尚メモリ３３の管理テーブルに各原稿毎の回転情報を記憶する。
【００５５】
次いで複写画像印刷のため、ハードディスク３０に記憶された圧縮データを圧縮伸長処理部２８で伸長処理し、この後メモリ３３に記憶される管理テーブルの回転情報に基づき、圧縮処理前に回転した画像データは、回転処理部２７で圧縮処理時と逆方向に９０°戻して、画像データを復元後、画像メモリ２６に記憶し、プリンタ２４に転送して複写画像を形成する。
【００５６】
この様に構成すれば、文字データに限らず、画像データの圧縮効率の高い平坦ライン方向を検出後、平坦ライン方向と圧縮走査方向とを一致させて圧縮効率を高めるよう画像データを回転した後に圧縮するので、圧縮データサイズをより小さくする事が出来、画像データの処理時間の短縮及びハードディスク３０内の使用容量の低減を図れ、画像処理装置及び画像形成装置の性能を向上出来る。しかも平坦ライン方向を検出する際、隣接する画素が異なる数を合計するので、３種類以上の異なる画素からなる画像（多値画像）であっても平坦ライン方向の検出が可能となる。
【００５７】
次に本発明を図２０及び図２１に示す第６の実施の形態を参照して説明する。本実施の形態は入力画像を複数の領域に分割し分割した画像領域毎に平坦ライン方向と圧縮走査方向が一致するよう回転した後画像圧縮するものであり、他は第５の実施の形態と同様であることから同一部分については同一符号を付しその説明を省略する。図２０に示すディジタル複写機７０の画像処理装置７１は、画像メモリ２６、回転処理部２７、圧縮伸長処理部２８、ハードディスク３０、差分カウンタ６２、平坦方向判断部６３及び、画像を規定領域に分割処理しまたは分割した領域を再構成処理する画像分割再構成処理部７２から成っている。
【００５８】
そして例えば図２１に示すように、黒画素部７３、グレー画素部７４、非画素部７６が配列される画像データを有する原稿７７を、ソート機能を用いて複写操作する際に、原稿７７の画像領域を定型分割するものである。即ち画像処理装置７１の画像分割再構成処理部７２によりＮ−Ｎ´線より上の分割領域７７ａと、Ｎ−Ｎ´線より下の分割領域７７ｂの上下１／２の定型領域に分割する。
【００５９】
そして各分割領域７７ａ、７７ｂ毎に、第５の実施の形態と同様にして平坦ライン方向を選択する。即ち、上の分割領域７７ａにあっては、矢印ｘ方向のライン数１と矢印ｙ方向のライン数２とを比較して、矢印ｙ方向が大きいことから、矢印ｙ方向が平坦方向であり、圧縮効率が高いライン方向であると判断する。一方下の分割領域７７ｂにあっては、矢印ｘ方向のライン数２と矢印ｙ方向のライン数１とを比較して、矢印ｘ方向が大きいことから、矢印ｘ方向が平坦方向であり、圧縮効率が高いライン方向であると判断する。
【００６０】
従って画像データの圧縮効率を向上するために上の分割領域７７ａの画像データを９０°回転して、平坦ライン方向を、圧縮走査方向と一致させて、データの圧縮効率を高めてから圧縮伸長処理部２８により圧縮処理する一方、下の分割領域７７ｂの画像データは、そのままで平坦ライン方向が圧縮走査方向と一致する事から、回転することなく圧縮伸長処理部２８により圧縮処理し、両分割領域７７ａ、７７ｂの圧縮データをハードディスク３０に記憶する。尚メモリ３３の管理テーブルに各分割領域毎の回転情報を記憶する。
【００６１】
次いで複写画像印刷のため、ハードディスク３０に記憶された圧縮データを圧縮伸長処理部２８で伸長処理し、この後メモリ３３に記憶される管理テーブルの回転情報に基づき、圧縮処理前に回転した上分割領域７７ａの画像データを９０°戻し、更に画像分割再構成処理部７２にて上下分割領域７７ａ、７７ｂを再構成して画像データを復元し、画像メモリ２６に記憶し、プリンタ２４に転送して複写画像を形成する。
【００６２】
この様に構成すれば、文字データに限らず、画像データの圧縮効率の高い平坦ライン方向を検出後、平坦ライン方向と圧縮走査方向とを一致させて圧縮効率を高めるよう画像データを回転した後に圧縮するので、圧縮データサイズをより小さくする事が出来、画像データの処理時間の短縮及びハードディスク３０内の使用容量の低減を図れ、画像処理装置及び画像形成装置の性能を向上出来る。しかも画像領域を分割して、分割領域毎に平坦ライン方向の検出及び画像データの回転を行えることから、より画像内容に沿った平坦ライン方向を検出出来、画像データの圧縮効率の一層の向上を得られる。更に多値画像からなる画像データであっても、より効率の高い画像圧縮が可能となる。
【００６３】
尚本発明は上記実施の形態に限られるものでは無く、その趣旨を変えない範囲での変更は可能であって、例えば画像データを分割する際に、定型分割である場合は、上下、左右、あるいは多数に分割可能であるし、画像内容を読み取って分割する場合は、全く任意である。又画像各画素の色等限定されないし、多値画像の画素の数等も任意である。更に、平坦ライン方向を検出する場合の、ラインの走査方向も自由であるし、２方向からのみでなく、多数の方向から走査する等任意である。
【００６４】
【発明の効果】
以上説明したように本発明によれば、画像データの内容に応じて、圧縮効率の高い方向に回転した後圧縮処理を行う事から、圧縮データのサイズを小さく出来、記憶媒体に対して圧縮データを入出に要するデータ処理時間を短縮出来、更に圧縮データによる記憶媒体の使用容量を低減出来、画像処理装置、ひいては画像形成装置の性能向上を得られる。
【図面の簡単な説明】
【図１】本発明の原理のディジタル複写機のシステム構成を示す概略構成図である。
【図２】本発明の第１の実施の形態のディジタル複写機のシステム構成を示す概略構成図である。
【図３】本発明の第１の実施の形態の画像データの圧縮処理過程を示すフローチャートである。
【図４】本発明の第１の実施の形態における画像データの取り扱いを示し、（ａ）はその文章方向と圧縮方向が一致する場合、（ｂ）はその文章方向と圧縮方向が垂直である場合を示す概略説明図である。
【図５】本発明の第１の実施の形態のメモリに記憶される管理テーブルの内容の一部を示す概略説明図である。
【図６】本発明の第２の実施の形態のディジタル複写機のシステム構成を示す概略構成図である。
【図７】本発明の第２の実施の形態の具体例１の原稿を示す概略説明図である。
【図８】本発明の第２の実施の形態の具体例２の原稿を示す概略説明図である。
【図９】本発明の第２の実施の形態のメモリに記憶される管理テーブルの内容の一部を示す概略説明図である。
【図１０】本発明の第３の実施の形態のディジタル複写機のシステム構成を示す概略構成図である。
【図１１】本発明の第３の実施の形態の具体例３の原稿を示す概略説明図である。
【図１２】本発明の第３の実施の形態の具体例３の平坦ライン方向の検出操作を示し、（ａ）はその圧縮走査方向のライン毎の度数を求める場合、（ｂ）はその圧縮走査方向と垂直方向のライン毎の度数を求める場合を示す概略説明図である。
【図１３】本発明の第３の実施の形態の具体例４の原稿を示す概略説明図である。
【図１４】本発明の第３の実施の形態の具体例４の平坦ライン方向の検出操作を示し、（ａ）はその圧縮走査方向の１ラインおきの度数を求める場合、（ｂ）はその圧縮走査方向と垂直方向の１ラインおきの度数を求める場合を示す概略説明図である。
【図１５】本発明の第４の実施の形態のディジタル複写機のシステム構成を示す概略構成図である。
【図１６】本発明の第４の実施の形態の原稿を示す概略説明図である。
【図１７】本発明の第５の実施の形態のディジタル複写機のシステム構成を示す概略構成図である。
【図１８】本発明の第５の実施の形態の原稿を示す概略説明図である。
【図１９】本発明の第５の実施の形態の平坦ライン方向の検出操作を示し、（ａ）はその圧縮走査方向のライン毎の差分を求める場合、（ｂ）はその圧縮走査方向と垂直方向のライン毎の差分を求める場合を示す概略説明図である。
【図２０】本発明の第６の実施の形態のディジタル複写機のシステム構成を示す概略構成図である。
【図２１】本発明の第６の実施の形態の原稿を示す概略説明図である。
【符号の説明】
２０…ディジタル複写機
２１…共通バス
２２…ＣＰＵ
２３…スキャナ
２４…プリンタ
２５…画像処理装置
２６…画像メモリ
２７…回転処理部
２８…圧縮伸長処理部
３０…ハードディスク
３１…文字画像判断部
３２…文章方向判断部
３３…メモリ
【図１】
0003850006.tif 000002
【図２】
0003850006.tif 000003
【図３】
0003850006.tif 000004
【図４】
0003850006.tif 000005
【図５】
0003850006.tif 000006
【図６】
0003850006.tif 000007
【図７】
0003850006.tif 000008
【図８】
0003850006.tif 000009
【図９】
0003850006.tif 000010
【図１０】
0003850006.tif 000011
【図１１】
0003850006.tif 000012
【図１２】
0003850006.tif 000013
【図１３】
0003850006.tif 000014
【図１４】
0003850006.tif 000015
【図１５】
0003850006.tif 000016
【図１６】
0003850006.tif 000017
【図１７】
0003850006.tif 000018
【図１８】
0003850006.tif 000019
【図１９】
0003850006.tif 000020
【図２０】
0003850006.tif 000021
【図２１】
0003850006.tif 000022